(57)【要約】【課題】レンズの正面方向から撮影方向あるいは観察位置を特定し難くすることで、防犯性を向上させることが可能なドアスコープ、および監視カメラを提供する。【解決手段】ドアスコープ１０は、観察位置に面する対物レンズ１１、対物レンズ１１を通過した観察位置の光を偏向させてから結像させる接眼レンズ１２、を有するレンズ機構９を備えている。接眼レンズ１２によって結像される像は、対物レンズ１１の正面方向に対して傾斜した位置の像である。【選択図】図３
2009121113.tif 000002
【特許請求の範囲】
【請求項１】
観察位置に面する対物レンズ部と、
前記対物レンズ部を通過した観察位置の光を偏向させてから結像させる接眼レンズ部と、
を有するレンズ機構を備え、
前記結像される像は、前記対物レンズ部の正面方向に対して傾斜した観察位置の像である、
ドアスコープ。
【請求項２】
前記レンズ機構は、少なくとも前記接眼レンズ部を回転可能に支持する支持部をさらに備えている、
請求項１に記載のドアスコープ。
【請求項３】
前記接眼レンズ部は、前記対物レンズ部を通過した光を前記正面方向に対して傾斜した観察位置の像が結像されるように屈折させるプリズムをさらに有している、
請求項１または２に記載のドアスコープ。
【請求項４】
前記結像を受光する受光部と、
前記支持部を回転駆動する駆動部と、
前記駆動部を制御する制御部と、
をさらに備えている、
請求項２に記載のドアスコープ。
【請求項５】
請求項１から４のいずれか１項に係るレンズ機構と、
前記結像を受光する受光部と、
前記支持部を回転駆動する駆動部と、
前記駆動部を制御する制御部と、
を備えている監視カメラ。
【発明の詳細な説明】
【技術分野】
【０００１】
この発明は、ドア外側の様子を内側から観察するドアスコープ、および所定の位置を監視する監視カメラに関する。
【背景技術】
【０００２】
一般に、監視カメラやドアスコープといった防犯機器では、広い範囲を監視あるいは観察するために広角レンズが備えられている。
【０００３】
しかし、このような監視カメラでは、カメラの取り付け方向や外観から監視位置が容易に把握される。このため、監視位置付近を通過する人が監視カメラの外観等から監視位置を推定して撮影されないように迂回するおそれがある。
【０００４】
通常、ドアスコープは、玄関ドア等の中央部の上部に配置されている。これに対し、訪問者はドアが開かれたときに邪魔にならないように、ドアの正面を避けドアの開放端周辺や反対側の側端周辺のドアが開放されるときに、ドアの開閉動作を妨げない位置に立つことが多い。
【０００５】
監視カメラの中には、ドーム状のカバーでカメラを覆うことで撮影方向を特定され難くしたものもある（例えば、特許文献１。）。
【特許文献１】特開２００５−３００６５９号公報
【発明の開示】
【発明が解決しようとする課題】
【０００６】
しかし、上記特許文献１のように、監視カメラにカバーを設けても、カバーそのものはやや透明であるため、監視カメラのレンズの向き（レンズの正面方向）から大まかな監視位置を把握することができ、監視位置を特定されるおそれがある。監視位置が特定されると防犯性が低下するという問題があった。
【０００７】
また、ドアスコープでは、訪問者がドアの正面側ではなく、ドアの両側端のいずれか一方の周辺に立っている場合には、訪問者を観察することができない、または、観察できるときでも訪問者の像が歪み訪問者を観察しづらいという問題があった。
【０００８】
そこで、本発明に係る監視カメラでは、レンズの正面方向から監視位置を特定し難くすることで防犯性を向上させることが可能な監視カメラを提供することを目的とする。
【０００９】
また、本発明に係るドアスコープでは、ドアの周辺部に立つ訪問者の像の歪みを少なくして、訪問者を観察し易くすることが可能なドアスコープを提供することを目的とする。
【課題を解決するための手段】
【００１０】
この発明のドアスコープは、観察位置に面する対物レンズ部と、対物レンズ部を通過した観察位置の光を偏向させてから結像させる接眼レンズ部と、を有するレンズ機構を備えている。結像される像は、対物レンズ部の正面方向に対して傾斜した観察位置の像である。
【００１１】
この構成では、対物レンズ部を通過した光を偏向させてから結像させる。このため、対物レンズ部の正面方向に対して傾斜した観察位置の像を歪みが少なくなるように結像させることができる。これにより、ドア側端周辺の観察位置を、歪みを少なくしつつ観察することができる。
【００１２】
この構成において、レンズ機構は、少なくとも接眼レンズ部を回転可能に支持する支持部をさらに備えても良い。これにより、接眼レンズ部を回転させて観察位置を変更することができる。
【００１３】
また、接眼レンズ部は、対物レンズ部を通過した光を正面方向に対して傾斜した観察位置の像が結像されるように屈折させるプリズムをさらに有していても良い。これにより、対物レンズ部の正面方向に対して傾斜した観察位置の光を、プリズムを介して結像させることができる。
【００１４】
さらに、結像を受光する受光部と、支持部を回転駆動する駆動部と、駆動部を制御する制御部と、をさらに備えても良い。これにより、接眼レンズ部を回転駆動して観察位置の方向を変更しながら結像を受光部に受光させることができる。
【００１５】
この発明の監視カメラは、上記発明のいずれかに係るレンズ機構と、結像を受光する受光部と、支持部を回転駆動する駆動部と、駆動部を制御する制御部と、を備えている。これにより、対物レンズの正面方向と監視位置が一致しないので、対物レンズの正面方向から監視位置を特定し難くすることができる。
【発明の効果】
【００１６】
このドアスコープの発明によれば、ドア側端の周辺に立つ訪問者を観察し易くすることができる。
【００１７】
この監視カメラの発明によれば、レンズの正面方向から監視位置を特定し難くすることで、防犯性を向上させることができる。
【発明を実施するための最良の形態】
【００１８】
この発明の一実施形態に係るドアスコープ１０を備えた玄関ドア１について図面を参照しつつ詳細に説明する。
【００１９】
図１は、玄関ドア１の外側から見た状態を示す外観図である。また。図２は、玄関ドア１の内側から見た状態を示す内観図である。
【００２０】
玄関ドア１は、躯体2に複数の蝶番によって回転支持された片開きのドアである。
【００２１】
玄関ドア１の中央部の上方にドアスコープ１０を備えている。ドアスコープ１０は、玄関ドア１の中央部上方に設けられた貫通孔１Ａを貫通して配設されている。
【００２２】
図３は、ドアスコープ１０の具体的な構成を示す断面図である。
【００２３】
ドアスコープ１０は、レンズ機構９を備えている。レンズ機構９は、対物レンズ１１、接眼レンズ１２、第１鏡筒部１３、第２鏡筒部（支持部）１４、固定部材１５、ばね１７を有している。
【００２４】
固定部材１５は、玄関ドア１の背面側から貫通孔１Ａに挿嵌されており、正面側の先端部にねじ部１５Ａが設けられている。
【００２５】
第１鏡筒部１３は、玄関ドア１の正面側から貫通孔１Ａに挿入され、第１鏡筒部１３の先端部にねじ部１５Ａと噛合するねじ部１３Ａが設けられている筒状部材である。
【００２６】
第２鏡筒部１４は、玄関ドア１の背面側から貫通孔１Ａに挿嵌されている。第２鏡筒部１４は、背面側の直径が正面側よりも長く、玄関ドア１の正面側と背面側を結ぶ方向の断面が略Ｌ字状に形成された筒状部材である。
【００２７】
第１鏡筒部１３および第２鏡筒部１４は、貫通孔１Ａの正面側と背面側からそれぞれ挿嵌され貫通孔Ｈを形成する。
【００２８】
第２鏡筒部１４は、背面側の外周面に沿ってダイヤル部１４Ａが波状に形成されている。これにより、第２鏡筒部１４の外周面を摘み易くし、周方向に回転させ易くすることができる。
【００２９】
第２鏡筒部１４は、正面側の外周面の周方向に沿って、正面側と背面側を結ぶ方向の断面が弧状に形成された溝１４Ｂが形成されている。
【００３０】
なお、第２鏡筒部１４の背面に貫通孔Ｈを塞ぐ回転自在なカバー部材をさらに設けても良い。これにより、ドアスコープ１０を使用しないときに貫通孔Ｈを塞ぎ、玄関ドア１の正面側から室内の様子を覗かれるのを防止することができる。また、貫通孔Ｈの接眼レンズ１２よりも背面側の位置に透明なカバーフィルタを設けても良い。これにより、レンズへ埃が付着するのを防止することができる。
【００３１】
さらに、対物レンズ１１と接眼レンズ１２の間の貫通孔Ｈに乾燥材を封入しておいても良い。これにより、湿気によって対物レンズ１１および接眼レンズ１２が曇るのを防止することができる。
【００３２】
第１鏡筒部１３の背面側の溝１４Ｂに対向する位置には、貫通孔１３Ｂが周方向に沿って等間隔に複数設けられている。各貫通孔１３Ｂは、第１鏡筒部１３の径方向外側に向かって拡開するようにそれぞれ形成されており、金属球１６が径方向外側からそれぞれ嵌め込まれている。さらに、各金属球１６の径方向外側には、円筒状に形成されたばね１７が嵌装され、ばね１７の内周面は金属球１６を径方向内側へ付勢している。
【００３３】
ここで、金属球１６の直径は、貫通孔１３Ｂの第１鏡筒部１３の内周側の直径よりも長く、金属球１６はその球面の一部を貫通孔１３Ｂから第１鏡筒部１３の内周側へ突き出すように貫通孔１３Ｂと嵌合している。
【００３４】
このため、第１鏡筒部１３に第２鏡筒部１４を挿嵌するときに、金属球が第２鏡筒部１４の正面側の外周面に付勢され第１鏡筒部１３の内周面と径方向の位置が同一となる位置まで径方向外側へ一旦押し出される。そして、各金属球１６が溝１４Ｂと対向する位置まで第２鏡筒部１４が挿嵌されると、溝１４Ｂに金属球１６の径方向内側の球面が嵌まり込み、第２鏡筒部１４が第１鏡筒部１３に回転可能に支持される。そのため、第１鏡筒部１３は、第２鏡筒部１４を回転させて３６０°の範囲で観察位置を変更することができる。
【００３５】
対物レンズ１１は、第１鏡筒部１３の正面側の端部に固定支持されており、玄関ドア１と直交する第１光軸Ａを有する凸レンズである。
【００３６】
接眼レンズ１２は、第２鏡筒部１４の正面側に固定支持されており、第２光軸Ｂを有する凸レンズである。第２光軸Ｂは、対物レンズ１１を通過した光が偏向して結像されるように第１光軸Ａと互いの成す角がαだけ傾斜している。そして、上記結像される像は、第１光軸Ａの軸方向、すなわち対物レンズ１１の正面方向に対して傾斜した観察位置の像である。
【００３７】
これにより、上記正面方向に対して傾斜した位置を観察することができる。また、ドアの側端の周辺に立つ訪問者をその像の歪みを少なくして観察することができるので、訪問者を容易に特定することができる。
【００３８】
第２鏡筒部１４の背面には、三角形状の方向マークＭが設けられている。方向マークＭの径方向の頂角は、上記観察位置と対応する方向を示している。これにより観察位置の方向を確認することができる。
【００３９】
また、外側に面する対物レンズ１１の第１光軸Ａの軸方向（すなわち、正面方向）と上記観察位置の方向が一致しないので、観察方向を外側から特定され難く防犯性を向上させることができるといった効果を得ることもできる。
【００４０】
上記実施形態に係るドアスコープ１０では、対物レンズ１１および接眼レンズ１２が凸レンズでそれぞれ構成されている例を挙げて説明した。しかし。本発明はこれに限定されるものではない。例えば、対物レンズ１１および接眼レンズ１２をそれぞれ複数のレンズ群により構成しても良い。また、例えば、通過する光の偏向を微調整する凹レンズをさらに備えるレンズ群を対物レンズ１１あるいは接眼レンズ１２として備えても良い。この場合には、接眼レンズ１２を通過する光の結像位置や像の歪を微調整することができる。
【００４１】
さらに、接眼レンズ１２を通過した上記正面方向に対して傾斜した観察位置の光を結像させることができる場合には、例えば、対物レンズ１１あるいは接眼レンズ１２のいずれか一方を凹レンズによって構成し、もう一方を凸レンズによって構成しても良い。
【００４２】
また、例えば、図４に示すように、対物レンズ１１および接眼レンズ１２の間に、第２鏡筒部１４に支持されたプリズムＰを設けるようにしても良い。これにより、対物レンズ１１を通過した光を所定の屈折率で屈折させてから接眼レンズ１２へ入射させることができる。ここで、所定の屈折率とは、対物レンズ１１の正面方向に対して傾斜した観察位置の像が接眼レンズ１２を通過して結像される屈折率である。
【００４３】
この場合には、接眼レンズ１２を対物レンズ１１に対して傾斜させなくても、対物レンズ１１の正面方向と傾斜した観察位置の像を結像させることができる。
【００４４】
上記実施形態に係るドアスコープ１０では、接眼レンズ１２を第２鏡筒部１４に支持させて、第２鏡筒部１４を回転可能に支持する構成について説明した。しかし、本発明はこれに限定されるものではない。例えば、第１鏡筒部１３を、第２鏡筒部１４に固定支持させて、固定部材１５と第１鏡筒部１３の間にベアリングを設け第１鏡筒部１３を固定部材１５に回転可能に支持させるようにしても良い。
【００４５】
また、例えば、対物レンズ１１および接眼レンズ１２をいずれも第２鏡筒部１４に支持させるようにしても良いし、さらに、第２鏡筒部１４を回転可能に支持させるのではなく、固定支持するようにしても良い。
【００４６】
なお、上記実施形態では、第１鏡筒部１３と第２鏡筒部１４によって形成される貫通孔Ｈが円筒状に形成されている例を挙げて説明した。しかし、本発明は、これに限定されるものではない。例えば、玄関ドア１の正面側と背面側を結ぶ方向の断面が略Ｚ字状となるように貫通孔を途中で折り曲げて形成しても良い。この場合には、貫通孔が折り曲がる位置にそれぞれミラー等の反射手段を設けることで、対物レンズ１１を通過した上記観察位置の光を接眼レンズ１２によって偏向させて結像させる。さらに、第１鏡筒部１３および第２鏡筒部１４を支持する支持部をそれぞれ設け、第２鏡筒部１４は回転可能に支持部に支持させる。これにより、上記実施形態に係るドアスコープ１０と同様の効果を得ることができる。
【００４７】
上記実施形態に係るドアスコープ１０では、第２鏡筒部１４に設けられたダイヤル部１４Ａを回転させる構成について説明した。しかし、本発明は、これに限定されるものではない。例えば、ドアスコープ１０を遠隔操作するようにしても良い。この場合のドアスコープ１０の具体的な構成について、上記実施形態と異なる点について説明すると以下の通りである。
【００４８】
図５（Ａ）に示すように、ドアスコープ１０は、ＣＣＤセンサユニット（受光部）２０と駆動機構（駆動部）２４と制御部６０とをさらに備えている。図５（Ｂ）は、図５（Ａ）に示す各ギアの噛合状態を模式的に示す図である。
【００４９】
また、第２鏡筒部１４の外周面にはダイヤル部１４Ａの代わりに歯状部１４Cが形成されている。
【００５０】
ＣＣＤセンサユニット２０は、接眼レンズ１２の背面側の結像位置に配置されており、
観察位置の映像を撮影する。
【００５１】
駆動機構２４は、減速ギア２１、駆動歯車２２、駆動モータ２３を有しており、第２鏡筒部１４を回転駆動する。
【００５２】
駆動歯車２２は、外周面に歯状部２２Ａが形成されており、駆動モータ２３によって回転駆動される。
【００５３】
減速ギア２１は、外周面に径の異なる歯状部２１Ａと歯状部２１Ｂとを有している。歯状部２１Ａは、その径が歯状部２１Ｂよりも長くなるように形成されている。
【００５４】
歯状部２１Ａは駆動歯車２２の歯状部２２Ａと噛み合い、歯状部２１Ｂは第２鏡筒部１４の外周面に形成された歯状部１４Cと噛み合うように配置されている。これにより、駆動モータ２３の回転数よりも第２鏡筒部１４の回転数を少なくして、第２鏡筒部１４の回転位置を精度良く制御することができる。
【００５５】
なお、駆動モータ２３の回転数、すなわち回転速度を遅くすることができる場合には、減速ギア２１を介さずに第２鏡筒部１４を駆動するようにしても良い。また、減速ギア２１の代わりに駆動ベルトを用いても良い。
【００５６】
制御部６０は、ＣＣＤセンサユニット２０、駆動モータ２３、をそれぞれ制御する。制御部６０は、ＣＣＤセンサユニット２０によって撮影された映像を図示しないモニタに表示させるとともに、図示しない操作パネルを介した入力に基づき駆動モータ２３の駆動を制御する。これにより、第２鏡筒部１４を回転駆動して観察位置を変更しながらＣＣＤセンサユニット２０に観察位置の結像を受光させることができる。
【００５７】
上記実施形態では、本発明の一実施形態に係るドアスコープ１０の構成について説明した。しかし、本発明は、これに限定されるものではない。例えば、図６に示す監視カメラ４０に本発明を適用しても良い。
【００５８】
図６は、監視カメラ４０の外観を示す図である。
【００５９】
図７（Ａ）は、監視カメラ４０全体の構成を模式的に示す図である。図７（Ｂ）は、図７（Ａ）に示す各ギアの噛合状態を模式的に示す図である。
【００６０】
監視カメラ４０は、ＣＣＤセンサユニット（受光部）４６、駆動機構（駆動部）５１、筐体５０、レンズ機構１０９、制御部１６０を備えている。駆動機構５１は、減速ギア４７、駆動歯車４８、駆動モータ４９を有している。レンズ機構１０９は、対物レンズ４１、接眼レンズ４２、第１鏡筒部４３、第２鏡筒部４４、ベアリング部４５を有している。
【００６１】
監視カメラ４０は、上記遠隔操作する場合のドアスコープ１０とほぼ同様の構成を有し、ドアスコープ１０と異なる構成についてのみ以下において説明する。
【００６２】
筐体５０は、円筒状に形成されており、対物レンズ４１、接眼レンズ４２、第１鏡筒部４３、第２鏡筒部４４、ベアリング部４５、ＣＣＤセンサユニット４６、減速ギア４７、駆動歯車４８、駆動モータ４９、を格納する。筐体５０は、第１鏡筒部４３を固定支持している。
【００６３】
第１鏡筒部４３は、内周面に沿って設けられた複数のベアリング部４５を介して第２鏡筒部４４を回転可能に支持している。
【００６４】
これにより、監視カメラ４０において、ドアスコープ１０と同様の効果を得ることができる。すなわち、外側に面する対物レンズ４１の正面方向と観察位置の方向が一致しないので、観察方向を外側から特定され難くして防犯性を向上させることができる。
【００６５】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００６６】
【図１】玄関ドアの外観図である。
【図２】玄関ドアの内観図である。
【図３】ドアスコープの具体的な構成を示す模式図である。
【図４】ドアスコープにおいて、光学系にプリズムを用いた場合における具体的な構成を示す模式図である。
【図５】ドアスコープの他の実施形態に係る構成を模式的に示す図である。
【図６】監視カメラの外観図である。
【図７】監視カメラの全体構成を模式的に示す図である。
【符号の説明】
【００６７】
９  レンズ機構
１０  ドアスコープ
１１  対物レンズ
１２  接眼レンズ
【図１】
2009121113.tif 000003
【図２】
2009121113.tif 000004
【図３】
2009121113.tif 000005
【図４】
2009121113.tif 000006
【図５】
2009121113.tif 000007
【図６】
2009121113.tif 000008
【図７】
2009121113.tif 000009